【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】    一時的或いは長期的な仮の歯冠を形成するためのシェルであって、
咬合面を画定する上部壁と、
頬側の側壁と、
前記頬側の側壁から離間した舌側の側壁と、
準備のできた歯に適合する中心のキャビティを画定するべく互いに離間し、前記上部壁と頬側の側壁と舌側の側壁に繋がっている対向する近遠心の各側壁とを含み、
少なくとも近遠心の側壁の１つが、前記キャビティから隣接する歯に近遠心方向に樹脂が押し出されるように、前記側壁に部分的開口を形成する窓部を有し、前記近遠心の側壁が、前記隣接する歯との隣接面接触部に押し出された樹脂を受容し保持するべく、前記窓部に隣接する窪んだ領域を含むことを特徴とするシェル。
【請求項２】    一時的或いは長期的な仮の歯冠を形成するためのシェルであって、
咬合面を画定する上部壁と、
頬側の側壁と、
前記頬側の側壁から離間した舌側の側壁と、
準備のできた歯に適合する中心のキャビティを画定するべく互いに離間し、前記上部壁と頬側の側壁と舌側の側壁と繋がっている対向する近遠心の各側壁とを含み、
前記頬側の側壁が咬合面−歯肉方向に第１の長さを有し、前記舌側の側壁が前記咬合面−歯肉方向に前記第１の長さより短い第２の長さを有し、樹脂が前記キャビティから前記隣接する歯に対して隣接面方向に押し出されると共に舌方向にも押し出され前記シェルの歯肉縁に沿ったシールとなるように、各近遠心の側壁がＵ型の部分的開口を形成する窓部を前記側壁に備えることを特徴とするシェル。
【請求項３】    前記窓部が、前記隣接する歯に対して隣接面の接触部を形成するのに十分な樹脂が前記キャビティから近遠心方向に押し出されるサイズであり、前記キャビティからの前記樹脂の流れを制御するために前記歯冠の前記近遠心の側壁の表面領域より十分に小さいことを特徴とする請求項１若しくは２に記載のシェル。
【請求項４】    前記窓部のサイズが、前記一時的な歯冠の前記近遠心の側壁の領域の約１／３から半分であることを特徴とする請求項１若しくは２に記載のシェル。
【請求項５】    前記近遠心の側壁が、近遠心の第１の表面と、前記第１の表面と前記窓部との間の窪んだ第２の表面とを有し、前記第２の表面が押し出される樹脂を受容し保持する窪んだ縁を前記窓部の周りに形成することを特徴とする請求項１に記載のシェル。
【請求項６】    前記シェルの両方の近遠心の側壁が前記窓部の１つを有することを特徴とする請求項１に記載のシェル。
【請求項７】    前記シェルの上部壁が、前記キャビティから樹脂が咬合面方向に押し出されるための窓部を備えることを特徴とする請求項１に記載のシェル。
【請求項８】    前記シェルの上部壁が、頬−舌方向に延在するブリッジによって近遠心方向に離間された２つの前記窓部を備えることを特徴とする請求項６に記載のシェル。
【請求項９】    前記シェルの上部壁が、第１の咬合表面と、前記第１の表面と前記窓部との間の第２の窪んだ表面とを有し、前記窓部の周りに押し出される樹脂を受容し保持する前記窓部の周りの窪んだ縁を形成することを特徴とする請求項６に記載のシェル。
【請求項１０】    前記頬側の側壁と前記上部壁とが頬側の先端部を形成し、前記頬側の先端部を含む前記頬側の側壁が咬合面−歯肉方向において患者の歯の長さより短い第１の長さに形成され、
前記舌側の側壁が咬合面−歯肉方向において前記頬側の側壁の前記第１の長さより短い第２の長さに形成されるため、前記シェルの前記頬側の先端部が前記頬側の側壁の歯肉縁に対して頬−舌方向に自由に動くことを特徴とする請求項１若しくは２に記載のシェル。
【請求項１１】    前記上部壁及び側壁が高分子材料から一体形成され、それぞれの近遠心の側壁が前記高分子材料と確実に接触して押し出された樹脂を受容し保持する前記窓部に隣接する窪んだ領域を備えることを特徴とする請求項１若しくは２に記載のシェル。
【請求項１２】    前記近遠心の側壁の前記窓部が概ねＵ型であり、前記近遠心の側壁の歯肉周辺に沿った境界がないことを特徴とする請求項１若しくは２に記載のシェル。
【請求項１３】    前記近遠心の側壁が、前記隣接する歯と隣接面接触する押し出された樹脂を受容し保持するべく、窓部に隣接する窪んだ領域を備えることを特徴とする請求項２に記載のシェル。
【請求項１４】    前記上部壁が、樹脂が前記キャビティから咬合面の方向に対向する歯に対して押し出されるべく、部分的開口を形成する窓部を備えることを特徴とする請求項２に記載のシェル。
【請求項１５】    前記上部壁が、前記対向する歯と接触することによって形成される位置に樹脂を受容し保持するべく、前記窓部に隣接する窪んだ領域を備えることを特徴とする請求項１４に記載のシェル。
【請求項１６】    前記側壁が、準備のできた歯の歯肉縁に沿って接触してシールするように樹脂を受容し保持するべく、その歯肉周辺に沿って窪んだ領域を備えることを特徴とする請求項２に記載のシェル。
【請求項１７】    前記頬側の側壁が、前記歯冠の形成時のシェルの取り扱いのために、着脱可能なタブを備えることを特徴とする請求項２に記載のシェル。
【請求項１８】    請求項２に記載のシェルを複数含むシェルのセットであって、人間の永久歯である小臼歯及び大臼歯に適合するサイズ及び形状の多数のシェルを含み、前記各シェルが頬−舌軸に対して対象に形成されるため、選択されたサイズのシェルは患者の歯の左右及び上下の顎に交換可能に適合できることを特徴とするシェルのセット。
【請求項１９】    少なくとも大臼歯に対して１つのシェル、小臼歯に対して１つのシェルを含み、前記各シェルにおいて、準備のできた歯の近遠心の側面と隣接する歯の近遠心の側面との概ね中間に前記シェルの近遠心の側壁が位置するように近遠心方向のサイズが形成されていることを特徴とする請求項１８に記載のシェルのセット。
【請求項２０】    請求項１若しくは２に記載のシェルを複数含むシェルのセットであって、大臼歯に対して２つのシェル、小臼歯に対して２つのシェルを含み、選択した１つの大臼歯に適合する第１及び第２のシェルび小臼歯の第１及び第２のシェルの近遠心の側壁が、第１及び第２の幅を有し、少なくとも１つの幅が削らないでも２つの隣接する歯の間の準備できた歯に緩めに適合できるため、前記近遠心の側壁の前記窓部から樹脂を押し出すことができ、前記隣接する歯に隣接面接触部を形成することを特徴とするシェルのセット。
【請求項２１】    大臼歯及び小臼歯用の一時的或いは長期的な仮の歯冠を形成する方法であって、
咬合面を画定する上部壁と、対向する頬側の側壁及び舌側の側壁と、患者の口の中の準備できた歯に適合する中心のキャビティを画定するために離間して対向する各近遠心の側壁とを含むシェルであって、各近遠心の側壁に部分的開口を形成する窓部を備える、該シェルの形成過程と、
押し出された樹脂が隣接する歯と隣接面接触して受容され保持されるべく、前記窓部に隣接する窪んだ領域を備える前記近遠心の側壁を形成する過程と、
前記中心のキャビティを多量の樹脂充填材で満たす過程と、
前記準備のできた歯に前記シェル及び樹脂充填材を配置する過程と、
患者の口を閉じて前記準備のできた歯と前記樹脂の詰まったシェルを対向側の歯に押し付けることによって、前記キャビティ内の前記樹脂充填材を前記準備のできた歯の形に形成すると共に、前記シェルの前記咬合面の咬合接触を前記対向側の歯で確立し、かつ前記樹脂の一部が前記キャビティから前記近遠心の側壁の前記窓部を通って押し出され隣接する歯と隣接面接触部を形成する過程と、
形成され突出た樹脂充填材を備える前記シェルを前記準備のできた歯から取り外す過程と、
患者の歯列内の咬合面及び隣接面に適合する外側表面の形状に、前記シェル及び突出た樹脂充填材を整形する過程とを含む大臼歯及び小臼歯用の一時的或いは長期的な仮の歯冠を形成する方法。
【請求項２２】    前記形成過程が、患者が口を閉じて歯を噛み合わせた状態で前記隣接する歯の間に緩く適合するように前記シェルのサイズを合わせることを含む請求項２１に記載の方法。
【請求項２３】    前記シェルを、前記準備のできた歯と前記準備のできた歯に隣接する歯の近遠心の表面との概ね中間に前記シェルの近遠心の側壁が位置するサイズに形成することを特徴とする請求項２２に記載の方法。
【請求項２４】    前記形成過程が、少なくとも２種の近遠心の幅のシェルを含むシェルのセットの形成と、前記シェルが前記隣接する双方の歯の間に０．５ｍｍから１．０ｍｍの隙間をもって容易に適合される近遠心の幅を有する前記シェルの１つの選択とを含むことを特徴とする請求項２２に記載の方法。
【請求項２５】    前記シェルが、患者が口を閉じて歯を噛み合わせた状態で、対向側の歯に対して前記シェルの咬合−歯肉方向の長さが容易に適合するように形成されることを特徴とする請求項２１に記載の方法。
【請求項２６】    前記シェルが、前記準備のできた歯と前記対向側の歯との概ね中間に前記シェルの上部壁が位置するように形成されることを特徴とする請求項２５に記載の方法。
【請求項２７】    前記形成過程が、少なくとも２種の近遠心の幅のシェルを含むシェルのセットの形成と、前記シェルの歯肉縁が前記準備のできた歯の歯肉縁に概ね適合するような咬合−歯肉方向の長さを有する前記シェルの１つの選択とを含み、前記シェルの咬合面が対向側の歯に対して０．５ｍｍから１．０ｍｍ離れていることを特徴とする請求項２５に記載の方法。
【請求項２８】    前記患者の口を閉じる過程で、少なくとも前記シェルの舌側の側壁の歯肉縁に沿って、前記シェルから前記樹脂の一部が押し出されて前記準備のできた歯と接触してシールが形成されることを特徴とする請求項２１に記載の方法。
【請求項２９】    前記形成過程が、シェルのセットを形成する過程を含み、前記セットが選択された大臼歯及び小臼歯の１つに適合するように第１及び第２のシェルを含み、その頬側の側壁が第１の長さその舌側の側壁が対応する第１の長さより短い第２の長さを有することから、削らなくても異なった長さの歯に適合することを特徴とする請求項２１に記載の方法。
【請求項３０】    前記近遠心の側壁の長さが、前記頬側の側壁及び舌側の側壁の長さより短いことを特徴とする請求項１若しくは２に記載のシェル。
【請求項３１】    前記シェルの側壁の長さが前記準備のできた歯に比例して形成されるため、樹脂の一部が押し出されて前記シェルの歯肉縁に沿ってシールが形成されることを特徴とする請求項１に記載のシェル。
【請求項３２】    一時的或いは長期的な仮の歯冠（４０Ｃ）であって、
咬合面を画定する上部壁（２２、１２２、２２２、３２２、４２２）と、頬側の側壁（２４、１２４、２２４、３２４、４２４）と、舌側の側壁（２６、１２６、２２６、３２６、４２６）と、準備のできた歯に適合するようなサイズ及び形状の中心のキャビティを画定するべく互いに離間し、前記上部壁と頬側の側壁と舌側の側壁に繋がっている対向する近遠心の各側壁（２８、３０、１２８、１３０、３２８、３３０、４２８、４３０）とを含むシェル（２０、１２０、２２０、３２０、４２０）と、
前記中心のキャビティ内に配置されて、準備のできた歯（６０）に適合する形状に形成された樹脂（３６Ａ、３８Ａ）と、
前記近遠心の各側壁に配置された部分的開口（３２、３４；１３２、１３４；２３２、
２３４；３３２、３３４；４３２、４３４）であって、前記部分的開口は、前記樹脂（３６Ａ、３８Ａ）の一部が、前記キャビティから近遠心側に押し出されて、１以上の隣接する歯（６２、６４）と接触するように構成されている、該部分的開口とを含むことを特徴とする歯冠。
【請求項３３】    前記部分的開口が、歯肉縁（１２５、１２７；２２５、２２７；３２５、３２７；４２５、４２７）から前記上部壁（１２２、２２２、３２２、４２２）に向かって延在するＵ型の窓部（１３２、１３４；２３２、２３４；３３２、３３４；４３２、４３４）を含むことを特徴とする請求項３２に記載の歯冠。
【請求項３４】    前記中心のキャビティから各部分的開口を通して押し出されて、その開口に隣接する前記シェルの近遠心の側壁の上に重なった前記樹脂の一部を更に含むことを特徴とする請求項３３に記載の歯冠。
【請求項３５】    前記シェルの前記上部壁（１２２、２２２、３２２、４２２）が、前記樹脂を前記キャビティから咬合面の方向に押し出すための窓部（１５０、１５２；２５０、２５２；３５３；４５３）を有することを特徴とする請求項３２に記載の歯冠。
【請求項３６】    一時的或いは長期的な仮の歯冠（４０Ｃ）を形成するためのシェル（１２０、２２０、３２０、４２０）であって、
咬合面を画定する上部壁（１２２、２２２；３２２、４２２）と、
頬側の側壁（１２４、２２４、）と、
前記頬側の側壁から離間した舌側の側壁（１２６、２２６、３２６、４２６）と、
準備のできた歯に適合する中心のキャビティを画定するべく互いに離間し、前記上部壁と頬側の側壁と舌側の側壁に繋がっている対向する近遠心の各側壁（１２８、１３０；２２８、２３０；３２８、３３０；４２８，４３０）と
前記樹脂の一部を前記キャビティから咬合面の方向に対向する歯（６６）に対して押し出すための、前記シェルの前記上部壁に設けられた窓部（１５０、１５２；２５０、２５２；３５３、４５３）とを含むことを特徴とするシェル。
【請求項３７】    前記シェル（１２０、２２０）の前記上部壁が、頬−舌方向に延在するブリッジによって近遠心方向に離間された２つの前記窓部（１５０、１５２；２５０、２５２；３５３、４５３）を備えることを特徴とする請求項３６に記載のシェル。
【請求項３８】    前記シェルの上部壁が、第１の咬合表面（１２２Ａ）と、前記第１の表面と前記窓部（１５０、１５２；２５０、２５２）との間の第２の窪んだ表面（１２２Ｂ）とを有し、前記窓部の周りに押し出される樹脂を受容し保持する前記窓部の周りの窪んだ縁を形成することを特徴とする請求項３６に記載のシェル。
【請求項３９】    前記シェル（３２０、４２０）の前記上部壁（３２２、４２２）の前記窓部（３５３、４５２）が、前記咬合面を横切って近遠心方向に延在する部分を有することを特徴とする請求項３６に記載のシェル。
【請求項４０】    一時的或いは長期的な仮の歯冠（４０Ｃ）であって、
請求項３６に記載のシェル（１２０、２２０、３２０、４２０）と、
前記中心のキャビティ内に配置されて、準備のできた歯（６０）に適合する形状に形成された樹脂（３６Ａ、３８Ａ）とを含み、
前記樹脂は、前記キャビティから咬合面の方向に対向する歯（６６）に対して押し出されていることを特徴とする歯冠。